(57)【要約】【課題】並置される複数の導光板を備える導光板装置において、導光板内部の光拡散を阻害することなく導光板の長手方向中央側を支持体に保持することができる導光板装置、該導光板装置を備える光源装置、画面の中央部分の輝度分布を均一化することができる表示装置、及びこれを含むテレビ受像装置を提供する。【解決手段】略矩形をなし、一短辺側の側面から入光した光を一面から出光する複数の導光板４２を長辺側の側面が対向するように複数列に支持体４１に支持させてあり、隣合う導光板４２間に、隣合う導光板４２の長手方向中央部における長辺側の側面部に係合して該導光板４２を保持する保持体２２，２３を設け、導光板４２の長手方向中央部が反るのを防ぎ、光の導光板４２内部での拡散を均等化させることができるようにした。【選択図】図９
2011198746.tif 000002
【特許請求の範囲】
【請求項１】
略矩形をなし、一短辺側の側面から入光した光を一面から出光する複数の導光板を、該導光板を支持する支持体に長辺側の側面が対向するように並置してある導光板装置において、隣合う前記導光板間に配され、隣合う導光板の少なくとも一方の長辺側の側面部に係合して該導光板を保持する保持体を備えることを特徴とする導光板装置。
【請求項２】
前記導光板における前記一面の長辺側に、該長辺側の側面から窪む係合凹所を全長にわたって有し、該係合凹所に前記保持体が係合している請求項１記載の導光板装置。
【請求項３】
前記保持体は光反射性を有する請求項１又は２記載の導光板装置。
【請求項４】
前記保持体は、前記支持体又は該支持体と前記導光板との間に配される中間部材に一端が固定され、隣合う前記導光板間に配されている基片及び該基片の他端部から隣合う導光板側へ延出されている二つの爪片を有する請求項１から３のいずれか一つに記載の導光板装置。
【請求項５】
前記二つの爪片は、一の爪片の先端部から他の爪片の先端部にかけて凸に湾曲している請求項４記載の導光板装置。
【請求項６】
前記二つの爪片は、一の爪片の先端部から他の爪片の先端部にかけて前記一面と平行的になっている請求項４記載の導光板装置。
【請求項７】
前記支持体は板状をなし、該支持体にその一面が対向し、他面が前記導光板に対向する中間板を備え、該中間板の前記他面に複数の前記保持体を設けてある請求項１から３のいずれか一つに記載の導光板装置。
【請求項８】
前記支持体は第１孔が貫設されており、該第１孔の縁部から前記第１孔に被さるように前記中間板側へ突出する第１凸片を有し、前記中間板は、前記第１凸片が挿入される第２孔が貫設されており、該第２孔の縁部から前記第２孔に被さるように前記支持体側へ突出して前記第１凸片と前記中間板の厚さ方向に対接する第２凸片を有する請求項７記載の導光板装置。
【請求項９】
前記第１凸片は、前記第２凸片と対接する対接面と反対側の面が、前記中間板の前記他面に略沿う位置となるように配してある請求項８記載の導光板装置。
【請求項１０】
前記第２凸片は、前記第１凸片と対接する対接面と反対側の面が、前記支持体の前記中間板と反対側の面に略沿う位置となるように配してある請求項８又は９記載の導光板装置。
【請求項１１】
前記中間板及び導光板の間に配され、前記保持体が挿通される挿通孔を有する光反射板を備える請求項７から１０のいずれか一つに記載の導光板装置。
【請求項１２】
前記導光板の二つの短辺側の一方が前記支持体に固定されており、前記導光板の他方が長辺の長さ方向へ伸縮するのを可能に前記導光板の位置を決める位置決め部を備える請求項１から１１のいずれか一つに記載の導光板装置。
【請求項１３】
前記位置決め部は、前記導光板の長辺側の両側面と係合することが可能に配してある二つの凸部を有する請求項１２記載の導光板装置。
【請求項１４】
前記位置決め部は、前記導光板を厚さ方向へ貫通し、前記長辺の長さ方向に長い長孔及び該長孔に相対移動を可能に嵌入されている凸部を有する請求項１２記載の導光板装置。
【請求項１５】
前記導光板及び支持体の間に配されている光反射板を備え、前記保持体は前記光反射板と一体である請求項１から６又は１２から１４のいずれか一つに記載の導光板装置。
【請求項１６】
前記光反射板の前記支持体との対向面に係止爪が一体に設けられ、該係止爪が挿入により係止される係止孔が前記支持体に開設されている請求項１５記載の導光板装置。
【請求項１７】
前記係止孔は前記係止爪を前記光反射板に沿う方向へ移動させるための長孔であり、前記係止爪が移動した位置に前記光反射板を止める止部を有する請求項１６記載の導光板装置。
【請求項１８】
光源と、各光源が放射した光が前記一短辺側の側面から入光されるように前記導光板が配されている請求項１から１７のいずれか一つに記載の導光板装置とを備えることを特徴とする光源装置。
【請求項１９】
一側に表示面を有する表示部と、該表示部の他側に前記導光板の一面が前記一側へ向くように配されている請求項１８に記載の光源装置とを備えることを特徴とする表示装置。
【請求項２０】
テレビ放送信号を受信する受信部を備え、該受信部がテレビ放送信号を受信して前記表示面にテレビ画像を表示する請求項１９に記載の表示装置を含むことを特徴とするテレビ受像装置。
【発明の詳細な説明】
【技術分野】
【０００１】
本発明は側面から入光した光を一面から出光する導光板を備える導光板装置、これを備える光源装置、これを備える表示装置、及びこれを含むテレビ受像装置に関する。
【背景技術】
【０００２】
液晶テレビジョン等の薄型と称される液晶の表示装置は、映像を表示する表示面を表側に有し略直方体をなす表示部と、該表示部の裏側に配され、表示部に光を照射する光源部とを備え、該光源部及び前記表示部の間に、拡散板及びプリズムシート等の光学シートが配されている。
【０００３】
表示部は、略直方体をなす液晶表示パネルを有する。液晶表示パネル自身は発光するものでないため、表示面に映像を表示するための光源が必要であり、この光源としてバックライト装置が用いられている。
【０００４】
バックライト装置は、表示部の裏側に導光板を配し、導光板の側面側に光源を配するエッジライト方式と、表示部の裏側に拡散板を配し、該拡散板の裏側に光源を配する直下ライト方式とが一般に採用されている。
【０００５】
バックライト装置のエッジライト方式は、導光板の側面から入光した光を、導光板内を拡散させながら導光板の一面から出光するため、拡散板の裏側に光源が配される直下ライト方式に比べて表示装置の表裏厚さを薄くすることができ、薄型化を促進する点でエッジライト方式を採用するのが有利である。
【０００６】
エッジライト方式のバックライト装置は、液晶表示パネルに対応する大きさの導光板が採用される導光板単一タイプと、短冊形をなす複数の導光板が並置される導光板群タイプとが採用されている（例えば、特許文献１参照）。
【０００７】
特許文献１のバックライト装置は、両端に入光側面を有し、短冊形をなす複数の導光板が並置されている導光板群と、該導光板群を支持する支持体と、複数の発光素子が一列に実装され、導光板の両端と対向する位置に配された回路基板とを備え、各回路基板の発光素子が照射した光を各導光板の両端の入光側面から入光させ、一面から出光するように構成されている。
【先行技術文献】
【特許文献】
【０００８】
【特許文献１】特開２００８−３００１７０号公報
【発明の概要】
【発明が解決しようとする課題】
【０００９】
ところで、特許文献１のような導光板群タイプのバックライト装置にあっては、並置される複数本の冷陰極蛍光ランプ（ＣＣＦＬ）を備えるバックライト装置の光学設計を流用することができるため、光学設計を簡易にでき、また、並置された導光板ごとに点灯タイミングを制御することができるため、動画性能を向上することができる。よって、導光板単一タイプのバックライト装置よりも。導光板群タイプのバックライト装置が有利である。
【００１０】
また、導光板単一タイプのバックライト装置は、導光板の四辺部を支持体に保持することができるため、益々大型化されつつある液晶テレビジョンのように大型の表示装置に採用される場合においても、導光板の中央側を支持体に保持しなくとも導光板の中央側が厚さ方向へ反ることは殆どない。
【００１１】
しかし、導光板群タイプのバックライト装置は、大型化に伴って導光板が比較的長くなり、導光板に厚さ方向への反りが発生し易くなるため、大型の表示装置に採用される場合、並置される導光板夫々の長手方向両端部を支持体に保持した上、導光板の中央側を支持体に保持する必要がある。
【００１２】
導光板の中央側を支持体に保持するには、導光板の中央部に、保持用の変形部、欠除部、孔等を設け、前記変形部又は欠除部に係合する雄螺子にて保持したり、前記孔に挿入される雄螺子にて保持したりすることが考えられる。
【００１３】
しかし、側面から入光した光を、内部で導光板全体に拡散させながら一面から出光する導光板の中央側に変形部、欠除部、孔等があると、光の導光板内部での拡散が不均等になるため、導光板群タイプのバックライト装置が採用された大型の液晶テレビジョンにあっては、視聴者がもっとも注視する画面の中央部分の輝度分布が不均一となり、輝度むらが発生し易くなる。
【００１４】
本発明は斯かる事情に鑑みてなされたものであり、主たる目的は並置される複数の導光板を備える導光板装置において、導光板内部の光拡散を阻害することなく導光板の長手方向中央側を支持体に保持することができる導光板装置、該導光板装置を備える光源装置、画面の中央部分の輝度分布を均一化することができる表示装置、及びこれを含むテレビ受像装置を提供することにある。
【課題を解決するための手段】
【００１５】
本発明に係る導光板装置は、略矩形をなし、一短辺側の側面から入光した光を一面から出光する複数の導光板を、該導光板を支持する支持体に長辺側の側面が対向するように並置してある導光板装置において、隣合う前記導光板間に配され、隣合う導光板の少なくとも一方の長辺側の側面部に係合して該導光板を保持する保持体を備えることを特徴とする。
【００１６】
この発明にあっては、隣合う導光板間に配されている保持体が、隣合う導光板の一方の側面部に係合しているため、導光板の長手方向中央側に変形部、欠除部、孔等を設けることなく導光板の長手方向中央側を支持体に保持することができ、光の導光板内部での拡散を均等化させることができる。また、隣合う導光板間に配されている保持体が、隣合う導光板の両方の側面部に係合しているため、導光板の長手方向中央側に変形部、欠除部、孔等を設けることなく導光板の長手方向中央側を支持体に保持することができ、しかも、隣合う二つの導光板を一つの保持体が保持しており、導光板に対する保持体の個数を低減できるため、保持体による光むらの影響を抑制でき、導光板の光特性を高めることができる。
【００１７】
また、本発明に係る導光板装置は、前記導光板における前記一面の長辺側に、該長辺側の側面から窪む係合凹所を全長にわたって有し、該係合凹所に前記保持体が係合している構成とするのが好ましい。
この発明にあっては、一短辺側の側面から入光した光を、一面の非係合凹所及び係合凹所から出光されることができ、一面の係合凹所から出光される出光方向を、非係合凹所から出光される出光方向と異ならせることができるため、隣合う導光板間の光むらを低減することができ、しかも、導光板の厚さ以内に保持体を配することができ、保持体に影響されることなく導光板装置の薄型化を図ることができる。
【００１８】
また、本発明に係る導光板装置は、前記保持体は光反射性を有する構成とするのが好ましい。
この発明にあっては、導光板から出光された光が保持体に当たったとき、該光を保持体にて反射させることができるため、保持体による光むらの影響をより一層抑制でき、導光板の光特性をより一層高めることができる。
【００１９】
また、本発明に係る導光板装置は、前記保持体は、前記支持体又は該支持体と前記導光板との間に配される中間部材に一端が固定され、隣合う前記導光板間に配されている基片及び該基片の他端部から隣合う導光板側へ延出されている二つの爪片を有する構成とするのが好ましい。
この発明にあっては、隣合う導光板間に配されている基片に二つの爪片が設けられているため、爪片又は基片を撓ませて導光板を保持することが可能であり、比較的長い導光板を備える場合であっても、導光板の並置作業性を高めることができる。
【００２０】
また、本発明に係る導光板装置は、前記二つの爪片は、一の爪片の先端部から他の爪片の先端部にかけて凸に湾曲している構成とするのが好ましい。
この発明にあっては、導光板の一面から出光された光が保持体の爪片に当たり難くなり、保持体による光むらの影響をより一層抑制でき、導光板の光特性をより一層高めることができる。
【００２１】
また、本発明に係る導光板装置は、前記二つの爪片は、一の爪片の先端部から他の爪片の先端部にかけて前記一面と平行的になっている構成とするのが好ましい。
この発明にあっては、導光板の一面から出光された光が保持体の爪片に当たり難くなり、保持体による光むらの影響をより一層抑制でき、導光板の光特性をより一層高めることができる。
【００２２】
また、本発明に係る導光板装置は、前記支持体は板状をなし、該支持体にその一面が対向し、他面が前記導光板に対向する中間板を備え、該中間板の前記他面に複数の前記保持体を設けてある構成とするのが好ましい。
この発明にあっては、中間板を板状の支持体に載置し、導光板を中間板に載置することにより、導光板の複数箇所を保持体にて保持することができるため、並置される導光板の個数が比較的多い場合においても、導光板の並置作業性を高めることができる。
【００２３】
また、本発明に係る導光板装置は、前記支持体は第１孔が貫設されており、該第１孔の縁部から前記第１孔に被さるように前記中間板側へ突出する第１凸片を有し、前記中間板は、前記第１凸片が挿入される第２孔が貫設されており、該第２孔の縁部から前記第２孔に被さるように前記支持体側へ突出して前記第１凸片と前記中間板の厚さ方向に対接する第２凸片を有する構成とするのが好ましい。
この発明にあっては、中間板を板状の支持体に載置し、該中間板の第２凸片を第１孔に挿入することにより、該第２凸片が第１凸片と対接し、中間板の厚さ方向への移動及び面に沿う方向への摺動を規制することができ、中間板を支持体の適正位置に簡易に取付けることができ、導光板の並置作業性をより一層高めることができる。
【００２４】
また、本発明に係る導光板装置は、前記第１凸片は、前記第２凸片と対接する対接面と反対側の面が、前記中間板の前記他面に略沿う位置となるように配してある構成とするのが好ましい。
この発明にあっては、中間板の他面と第１凸片の中間板側面との間の段差を僅少にすることができるため、導光板から出光された光の反射性を高めるべく、中間板と導光板との間に比較的広幅の光反射板が介在される場合、光反射板の厚さ方向への撓みをなくすることが可能であり、第１凸片による光むらの影響をなくし、導光板の光特性をより一層高め得る。
【００２５】
また、本発明に係る導光板装置は、前記第２凸片は、前記第１凸片と対接する対接面と反対側の面が、前記支持体の前記中間板と反対側の面に略沿う位置となるように配してある構成とするのが好ましい。
この発明にあっては、板状をなす保持体の中間板と反対側面及び第２凸片の第１凸片と反対側面間の段差を僅少にすることができ、中間板が支持体に取付けられることによる厚さの増加をなくすることができ、全体の薄型化を図ることができる。
【００２６】
また、本発明に係る導光板装置は、前記中間板及び導光板の間に配され、前記保持体が挿通される挿通孔を有する光反射板を備える構成とするのが好ましい。
この発明にあっては、導光板から出光された光の反射性を高めるべく、中間板と導光板との間に光反射板が介在されるとき、中間板に光反射板を載置することにより、保持体が挿通孔から抜け出すため、光反射板に導光板を載置することにより、該導光板を保持体にて保持することができ、光反射板で邪魔されることなく導光板を簡易に組込むことができ、導光板の並置作業性をより一層高めることができる。
【００２７】
また、本発明に係る導光板装置は、前記導光板は、二つの短辺側の一方が前記支持体に固定されており、前記導光板の他方が長辺の長さ方向へ伸縮するのを可能に前記導光板の位置を決める位置決め部を有する構成とするのが好ましい。
この発明にあっては、導光板の長手方向一端側が支持体に固定され、他端側が位置決め部にて伸縮を可能に位置決めされているため、熱により導光板が長手方向へ伸び縮みする際、該導光板の伸び縮みを位置決め部にて吸収することができ、導光板が反るのを防ぐことができる。
【００２８】
また、本発明に係る導光板装置は、前記位置決め部は、前記導光板の長辺側の両側面と係合することが可能に配してある二つの凸部を有する構成とするのが好ましい。
この発明にあっては、熱により長手方向へ伸び縮みする導光板の伸び縮みを二つの凸部にて案内することができ、伸び縮みに影響されることなく導光板を適正位置に保持することができる。
【００２９】
また、本発明に係る導光板装置は、前記位置決め部は、前記導光板を厚さ方向へ貫通し、前記長辺の長さ方向に長い長孔及び該長孔に相対移動を可能に嵌入されている凸部を有する構成とするのが好ましい。
この発明にあっては、導光板を厚さ方向へ貫通する長孔に凸部が嵌入されているため、位置決め部に影響されることなく隣合う導光板の側面間の寸法を短縮することができ、隣合う導光板の側面間部分での光むらを軽減することができる。
【００３０】
また、本発明に係る導光板装置は、前記導光板及び支持体の間に配されている光反射板を備え、前記保持体は前記光反射板と一体である構成とするのが好ましい。
この発明にあっては、光反射板を支持体に支持することにより、保持体を適正位置に配することができるため、保持体を有することによる組込作業工程の増加をなくすることができる。
【００３１】
また、本発明に係る導光板装置は、前記光反射板の前記支持体との対向面に係止爪が一体に設けられ、該係止爪が挿入により係止される係止孔が前記支持体に開設されている構成とするのが好ましい。
この発明にあっては、光反射板を支持体に載置し、係止爪を係止孔に挿入することにより光反射板を適正位置に保持することができるため、支持体に対する導光板の位置ずれを防ぐことができる。
【００３２】
また、本発明に係る導光板装置は、前記係止孔は前記係止爪を前記光反射板に沿う方向へ移動させるための長孔であり、前記係止爪が移動した位置に前記光反射板を止める止部を有する構成とするのが好ましい。
この発明にあっては、光反射板を支持体に載置し、係止爪を係止孔に挿入した状態で光反射板を長孔の長手方向へ摺動させることにより、係止爪が長孔内を移動し、該係止爪が長孔の縁部に係止され、光反射板が厚さ方向へ移動するのを防ぐことができるとともに、止部にて光反射板の摺動を防ぐことができ、支持体に対する光反射板の位置ずれを防ぐことができる。
【００３３】
また、本発明に係る光源装置は、光源と、各光源が放射した光が前記一短辺側の側面から入光されるように前記導光板が配されている上述した発明の導光板装置とを備えることを特徴とする。
この発明にあっては、導光板が並置され、隣合う導光板間に保持体が配され、該保持体が、隣合う導光板の一方の側面部又は両方の側面部に係合しているため、導光板の長手方向中央側に変形部、欠除部、孔等を設けることなく導光板の長手方向中央側を支持体に保持することができ、光の導光板内部での拡散を均等化させることができる。また、隣合う二つの導光板を一つの保持体が保持しており、導光板に対する保持体の個数を低減できるため、保持体による光むらの影響を抑制でき、導光板の光特性を高めることができる。
【００３４】
また、本発明に係る表示装置は、一側に表示面を有する表示部と、該表示部の他側に前記導光板の一面が前記一側へ向くように配されている上述した発明の光源装置とを備えることを特徴とする。
【００３５】
この発明にあっては、液晶テレビジョンのように大型の表示装置における表示部の中央側に配される導光板の反りを防ぐことができるとともに、光の導光板内部での拡散を均等化させることができ、視聴者がもっとも注視する画面の中央部分の輝度分布を均一化することができ、並置された導光板にて輝度むらが発生するのを防ぐことができる。
【００３６】
また、本発明に係るテレビ受像装置は、テレビ放送信号を受信する受信部を備え、該受信部がテレビ放送信号を受信して前記表示面にテレビ画像を表示する上述した発明の表示装置を含むことを特徴とする。
この発明にあっては、テレビ放送信号を受信して表示面にテレビ画像を表示することができる。
【発明の効果】
【００３７】
本発明によれば、並置される複数の導光板の反りを防ぐことができるとともに、光の導光板内部での拡散を均等化させることができ、導光板の光特性を高めることができる。また、液晶テレビジョンのように大型の表示装置における表示部の中央部分の輝度分布を均一化することができ、並置された複数の導光板にて輝度むらが発生するのを防ぐことができる。
【図面の簡単な説明】
【００３８】
【図１】テレビ受像装置の概略構成を示す分解斜視図である。
【図２】液晶表示装置の概略構成を示す分解斜視図である。
【図３】本発明に係る表示装置の構成を示す正面図である。
【図４】本発明に係る表示装置の一部を省略した横断平面図である。
【図５】本発明に係る表示装置の一部を省略した縦断側面図である。
【図６】本発明に係る表示装置の透光パネル後面側の構成を示す背面図である。
【図７】本発明に係る表示装置の導光板部分の構成を示す正面図である。
【図８】本発明に係る表示装置の導光板保持部分の構成を示す縦断側面図である。
【図９】本発明に係る表示装置の導光板保持部分の構成を示す拡大縦断側面図である。
【図１０】本発明に係る表示装置の導光板固定部分の構成を示す拡大縦断側面図である。
【図１１】本発明に係る表示装置の導光板位置決め部分の構成を示す拡大縦断側面図である。
【図１２Ａ】第１の保持体部分の他の構成を示す拡大縦断側面図である。
【図１２Ｂ】第１の保持体部分の他の構成を示す拡大縦断側面図である。
【図１２Ｃ】第１の保持体部分の他の構成を示す拡大縦断側面図である。
【図１３】導光板部分の他の構成を示す正面図である。
【図１４】導光板部分の他の構成を示す正面図である。
【図１５】導光板部分の他の構成を示す正面図である。
【図１６】導光板部分の他の構成を示す正面図である。
【図１７】導光板部分の他の構成を示す縦断平面図である。
【図１８】本発明に係る導光板装置の他の構成を示す縦断側面図である。
【図１９】本発明に係る導光板装置の要部の構成を示す拡大断面図である。
【図２０】本発明に係る導光板装置の中間板の構成を示す斜視図である。
【図２１】本発明に係る導光板装置の中間板の構成を示す正面図である。
【図２２】本発明に係る導光板装置の中間板の構成を示す側面図である。
【発明を実施するための形態】
【００３９】
以下本発明をその実施の形態を示す図面に基づいて詳述する。説明は、前側に表示面を有し、略直方体をなす表示部を備える薄型の表示装置を例として説明する。表示装置はバックライト部を含む液晶表示装置を搭載し、テレビ放送信号を受信する受信部を備え、該受信部がテレビ放送信号を受信してテレビ画像を前記表示面に表示するテレビ受像装置を含む。図１はテレビ受像装置の概略構成を示す分解斜視図、図２は液晶表示装置の概略構成を示す分解斜視図である。
【００４０】
テレビ受像装置は、液晶表示装置Ｂと、該液晶表示装置Ｂを挾むようにして収容する枠体Ｃ及びカバーＤと、電源Ｅと、チューナＦと、スタンドＧとを備えて構成される。液晶表示装置Ｂは、全体として横長の方形（矩形状）をなし、縦置き状態で枠体Ｃ及びカバーＤ内に収容されている。この液晶表示装置Ｂは、図２に示すように、表示パネルである液晶パネルＨと、外部光源であるバックライト部Ｊとを備え、液晶パネルＨ及びバックライト部Ｊなどが枠状のベゼルなどの保持枠体Ｋ，Ｌにより一体的に保持され、パネルモジュール（表示部）を構成するようになっている。
【００４１】
実施の形態１
図３は本発明に係る表示装置の構成を示す正面図、図４は表示装置の一部を省略した横断平面図、図５は表示装置の一部を省略した縦断側面図、図６は透光パネル後面側の構成を示す背面図、図７は導光板部分の構成を示す正面図である。
【００４２】
この表示装置はテレビ画像を表示する表示面１ａを前側に有する表示パネル１と、該表示パネル１の前面に貼付けにより積層されているガラス板製の透光パネル２と、該透光パネル２の周縁周りを覆う環体３と、表示パネル１の後側に配されている光源部４と、該光源部４及び表示パネル１の間に配されている拡散板５と、該拡散板５に積層されている光学シート６と、該光学シート６及び表示パネル１の間に配され、表示パネル１の周縁部後面と対向する枠体７と、光源部４の後側を覆うカバー８とを備え、表示パネル１の前側に表示されるテレビ画像を透光パネル２の前方から視認することができるように構成された液晶テレビジョン、換言すれば液晶表示装置である。尚、表示パネル１及び透光パネル２が表示部を構成している。
【００４３】
表示パネル１は略直方体をなし、前面及び後面に偏光板が接合されている。
【００４４】
透光パネル２は、表示パネル１よりも厚く、表示パネル１よりも大形の略直方体をなし、周縁部後面に、筒形ボス９１又は９２を有する結合体９が周方向に離隔して複数取付けられている。
【００４５】
結合体９は、図４に示すように略矩形又は略Ｌ字形をなし、透光パネル２の周縁に沿って四辺部に配される板部９３と、該板部９３に一端部がカシメ加工され、長さが短い第１の筒形ボス９１又は長さが長い第２の筒形ボス９２を有し、板部９３が両面テープ９４等の取付手段により透光パネル２の周縁部後面に取付けられ、筒形ボス９１，９２が後方へ向けて突出している。
【００４６】
結合体９は、略矩形をなす板部に第１の筒形ボス９１が設けられている第１の結合体９ａと、略矩形をなす板部に第２の筒形ボス９２が設けられている第２の結合体９ｂと、略Ｌ字形をなす板部に第１の筒形ボス９１が設けられている第３の結合体９ｃとを有し、第１の結合体９ａは、透光パネル２における下辺部の長さ方向中央側に配され、第２の結合体９ｂは、透光パネル２における上辺部の中央側及び両側辺部の長さ方向中央側に配され、第３の結合体９ｃは、透光パネル２の四つの隅部に配されている。
【００４７】
環体３は、透光パネル２の周面とラジアル方向へ離隔して対向し、略直方形をなす覆環部３１と、該覆環部３１の後側から中央側へ延出され、透光パネル２の周縁部後面に対向し、雄螺子３０にて板部９３に取付けられる延出凸部３２と、覆環部３１及び延出凸部３２からラジアル方向外方へ先細に突出する先細突部３３とを有する合成樹脂製である。
【００４８】
延出凸部３２は環状をなし、周方向へ離隔した複数の位置には、結合体９の第１の筒形ボス９１が挿入される貫通孔３２ａが開設され、板部９３に受止められている状態で筒形ボス９１に螺入される雄螺子３０にて結合体９に取付けられるようになしてある。
【００４９】
先細突部３３は、環体３の前縁及び後縁から厚さ方向中央に向けて先細に突出する断面略Ｖ字形をなし、環体３の周縁部が視認されたとき、該環体３の厚さが薄く見えるようになしてある。先細突部３３の元側後面には、前方へ窪む環状凹所３４及び保持溝３５が全周に亘って設けられ、環状凹所３４に、カバー８の嵌入口部が後方から嵌入され、防塵性を高めてある。
【００５０】
光源部４は、透光パネル２の周縁部後側に取付けられ、該透光パネル２の周縁部を支持する皿形状の支持体４１と、短冊形をなし支持体４１内に上下に複数列に並置された導光板４２と、該導光板４２の後側に配された光反射板４３と、導光板４２の両端側に上下に配された光源としての複数の発光ダイオード４４（発光素子）と、短冊形をなし導光板４２の両端側に配される発光ダイオード４４を一面に実装してある発光ダイオード基板４５と、該発光ダイオード基板４５及び導光板４２間に配されたリフレクタ４６と、各発光ダイオード基板４５の他面に対接する放熱体４７とを備える。
【００５１】
支持体４１は、金属板を横方向に長い略矩形の浅皿状に成形してなり、透光パネル２よりも若干小形に形成された板部４１ａを有する。支持体４１内には、板部４１ａよりも小形に形成された光反射板４３が載置され、該光反射板４３に導光板４２が上下複数列に並置されている。支持体４１の後面には、電源回路基板等の複数の回路基板２０が取付けられ、また、後面下部にはスタンド１０が取付けられる。
【００５２】
支持体４１内の横方向両側部には発光ダイオード基板４５及び放熱体４７が上下に長くなるように載置され、該発光ダイオード基板４５に実装されている発光素子としての発光ダイオード４４が導光板４２の一端及び他端と対向し、放熱体４７が枠部内面と対向している。
【００５３】
板部４１ａにおける外周部の第２の筒形ボス９２と対向する位置には挿通孔４１ｂが開設され、該挿通孔４１ｂ周りが枠体７の一部を介して筒形ボス９２の先端に対向し、挿通孔４１ｂから筒形ボス９２内に螺入される雄螺子２１にて透光パネル２に結合されるようになしてある。また、外周部の挿通孔４１ｂと偏倚した位置には、嵌入孔４１ｃを有する凸形結合部４１ｄが一体成形され、該凸形結合部４１ｄにカバー８が取外し可能に結合されている。
【００５４】
板部４１ａには光反射板４３を取付けるための複数の係止孔４１ｅと、光反射板４３の摺動を規制するための止孔４１ｆとが開設されている。係止孔４１ｅは隣合う導光板４２の間に上下に長くなるように開設された長孔である。
【００５５】
図８は導光板保持部分の構成を示す縦断側面図、図９は導光板保持部分の構成を示す拡大縦断側面図、図１０は導光板固定部分の構成を示す拡大縦断側面図、図１１は導光板位置決め部分の構成を示す拡大縦断側面図である。
【００５６】
光反射板４３は、板部よりも若干小形の矩形をなし、横方向に長い合成樹脂製の厚板部材４３ａと、高反射性を有し、厚板部材４３ａの前面に重なり合う薄板部材４３ｂとからなる。尚、光反射板４３が中間部材を構成している。
【００５７】
厚板部材４３ａは高反射性を有し、横方向一端部で上下に離隔した位置には、導光板４２の一端部を取付けるための複数の取付孔４３ｃが開設されており、横方向中央部で前面の上下に離隔した位置には、導光板４２の中央部を支持体４１に保持する第１及び第２の保持体２２，２３が一体成形されており、横方向他端部で前面の上下に離隔した位置には、熱により導光板４２が長手方向へ伸縮するのを可能に導光板４２の並置位置を決める位置決め凸部２４が一体成形されている。また、横方向中央部で後面の上下に離隔した位置には、係止孔４１ｅに挿入係止される係止爪４３ｄが一体成形されている。また、厚板部材４３ａの後面には止孔４１ｆに嵌入係止される凸状の止部４３ｅが一体成形されている。
【００５８】
薄板部材４３ｂには、取付孔４３ｃに対応する複数の嵌入孔と、第１及び第２の保持体２２，２３が挿通される複数の挿通孔と、位置決め凸部２４が挿通される複数の挿通孔とが開設されている。
【００５９】
第１の保持体２２は、厚板部材４３ａの前面から前方へ突出する基片の先側から上下両側へ突出する爪片２２ａ，２２ａを有する略Ｔ字形をなし、導光板４２の並置間隔と等しい間隔で配され、爪片２２ａが導光板４２の短辺側の側面部に係合するように構成されている。また、保持体２２の先部は、爪片２２ａ，２２ａ夫々の爪先の間が出光面４２ｂに対して凸に湾曲している。
【００６０】
第２の保持体２３は、厚板部材４３ａの前面から前方へ突出する基片の先側から上下一側へ突出する爪片２３ａを有する略Ｊ字形をなし、第１の保持体２２の上側及び下側に導光板４２の並置間隔と等しい間隔で配され、爪片２３ａが導光板４２の長手方向中央部における長辺側の側面部に係合するように構成されている。
【００６１】
位置決め凸部２４は厚板部材４３ａの前面から前方へ突出しており、導光板４２の長手方向他端側における長辺側の側面と係合することが可能に上下に離隔して配され、導光板４２の並置位置を決めることができるように構成されている。
【００６２】
係止爪４３ｄは厚板部材４３ａから後方へ突出する基片の先側が一方へ屈曲する略Ｌ字形をなし、係止孔４１ｅに挿通された状態で光反射板４３が板部４１ａに沿う方向へ摺動されることにより、係止爪４３ｄが係止孔４１ｅ内を移動し、係止孔４１ｅ周りに係止されるように構成されている。
【００６３】
導光板４２は、短辺側の両端に入光側面４２ａを配し、厚さ方向一面に出光面４２ｂを配してある。一面の長辺側には全長にわたって窪む係合凹所４２ｃ，４２ｃを有し、断面略Ｔ字形に形成され、一面の出光面４２ｂが拡散板５と対向し、他面が光反射板４３と対向している。
【００６４】
導光板４２の長手方向一端部には取付孔４３ｃに対応する段付の貫通孔４２ｄが開設され、該貫通孔４２ｄの大径孔部から取付孔４３ｃに嵌入される雄螺子２５にて導光板４２の長手方向一端側が光反射板４３に取付けられる。導光板４２の長手方向他端側は、上下に離隔して配されている位置決め凸部２４，２４間に挿嵌され、位置決め凸部２４，２４にて相対移動を可能に保持される。
【００６５】
並置方向中央側に配される導光板４２の長手方向中央部における長辺側の側面部は第１の保持体２２の爪片２２ａ，２２ａに係合し、並置方向両側に配されるの導光板４２の長手方向中央部における長辺側の側面部は第２の保持体２３の爪片２３ａに係合するように構成されている。また、導光板４２は、アクリル樹脂、ポリカーボネート樹脂等の合成樹脂材を押出し成形してなる長尺の導光板を所定の長さに切断することにより形成されている。
【００６６】
発光ダイオード基板４５は短冊形をなすアルミニウム材にて放熱性を高めてあり、複数の発光ダイオード４４が長手方向に離隔して一列に実装されており、他面が放熱体４７に結合され、発光ダイオード４４から発光ダイオード基板４５に伝熱された熱を放熱体４７から放熱させるように構成されている。放熱体４７の複数箇所には嵌入孔４７ａが開設されており、また、放熱体４７は複数本の雄螺子にて支持体４１に固定される。
【００６７】
リフレクタ４６は、導光板４２の入光側面及び発光ダイオード基板４５と対向し、発光ダイオード４４と対向する位置に入射孔が開設され、該入射孔に発光ダイオード４４が配され、発光ダイオード４４が放射した光が入射孔を経て導光板４２の入光側面に入光されるように構成されている。
【００６８】
拡散板５は導光板４２の出光面４２ｂから出光された光を拡散するもので、表示パネル１に対応して略直方形に形成され、導光板４２の出光面４２ｂに載置されている。
【００６９】
光学シート６は、導光板４２にて拡散された光を偏光する反射偏光シート、プリズムシート、拡散シート等の比較的薄肉で、透光性及び可撓性を有する合成樹脂シートからなり、表示パネル１に対応して略矩形に形成されている。
【００７０】
枠体７は、表示パネル１の周縁部後面に対向する矩形の環状板部７１及び該環状板部７１の外縁側で、第２の筒形ボス９２に対向する位置に突設された嵌合筒部７２を有する合成樹脂製である。環状板部７１前面の内縁側に、表示パネル１の周縁部に接触する防塵帯が接着剤により貼付けられ、環状板部７１後面の内縁側に、光学シート６の周縁部に接触する防塵帯が接着剤により貼付けられている。また、枠体の両側における環状板部７１には嵌入孔４７ａに対応する挿通孔が開設され、該挿通孔から嵌入孔４７ａに挿入される軸体２６にて枠体７が放熱体４７に結合されるように構成されている。また、嵌合筒部７２には、筒形ボス９２が嵌入される大径孔及び該大径孔と段部を経て連なる小径孔を有し、筒形ボス９２の先端が段部に当接し、枠体７を受止めている。
【００７１】
カバー８は、支持体４１後側を覆う略矩形の深皿形をなし、前方へ開放された嵌入口部を有し、該嵌入口部が環状凹所３４に嵌入されている。また、カバー８には凸形結合部４１ｄと対向する複数の筒形ボス８１が突設され、該筒形ボス８１から凸形結合部４１ｄの嵌入孔４１ｃに螺入される雄螺子８２にて支持体４１に結合されている。
【００７２】
スタンド１０は、支持体４１の下部後面に設けられているスタンド取付部に複数本の雄螺子にて取付けられ、透光パネル２の下縁よりも下方へ突出している支柱と、該支柱の下端に結合されているベースとを有する。
【００７３】
以上のように構成された液晶表示装置の組立ては例えば次の(1) 〜(9) の工程で行う。
(1) 作業台上に前面を上向にして平置きされた支持体４１内の両側部に、放熱体４７が結合されている発光ダイオード基板４５及びリフレクタ４６が載置され、支持体４１内の両側の発光ダイオード基板４５，４５間に光反射板４３が載置される。光反射板４３は、係止爪４３ｄが係止孔４１ｅに挿入された状態で板部４１ａに沿って摺動されることにより、係止爪４３ｄが係止孔４１ｅの周りに係止され、止部４３ｅにて摺動が阻止される。また、放熱体４７は雄螺子にて板部４１ａに固定される。
(2) 光反射板４３に複数の導光板４２が平行に並置される。上下方向中央側の導光板４２は、長手方向中央部が二つの第１の保持体２２，２２間に配置され、該保持体２２，２２の爪片２２ａにて係合凹所４２ｃが長手方向への相対移動を可能に保持される。上下方向両側の導光板４２は、長手方向中央部が第１及び第２の保持体２２，２３間に配置され、該保持体２２，２３の爪片２２ａ，２３ａにて係合凹所４２ｃが保持される。また、各導光板４２の長手方向一端側における貫通孔４２ｄから取付孔４３ｃに雄螺子２５が螺入され、導光板４２の一端部が光反射板４３に固定される。また、各導光板４２の長手方向他端部が、二つの位置決め凸部２４，２４間に配置され、長手方向への相対移動を可能に保持される。
(3) 導光板４２上に拡散板５が載置され、該拡散板５上に光学シート６が載置される。
(4) 光学シート６上に枠体７が載置され、該枠体７の周縁部が軸体２６にて放熱体４７に取付けられる。
(5) 表示面１ａに透光パネル２が貼付られている表示パネル１及び透光パネル２が、該透光パネル２が下側となるように作業台上に平置きされ、該透光パネル２の周縁部後面に環体３が載置され、第１の筒形ボス９１に螺入される雄螺子３０にて第１の結合体９ａに結合される。
(6) 枠体７が下側となるように支持体４１が反転され、この反転状態で表示パネル１の上側に載置される。
(7) 支持体４１の挿通孔４１ｂから第２の結合体９ｂの筒形ボス９２内に雄螺子２１が螺入され、透光パネル２が支持体４１に結合される。
(8) 支持体４１の上向きになっている板部４１ａに電源回路基板等の複数の回路基板２０が雄螺子にて取付けられ、また、板部４１ａにスタンド１０が雄螺子にて取付けられる。
(9) 支持体４１の上側からカバー８が被嵌され、筒形ボス８１から凸形結合部４１ｄの嵌入孔４１ｃに雄螺子８２が螺入され、カバー８が取付けられる。
【００７４】
以上のように並置される導光板４２の長手方向中央部を、導光板４２の長辺側に配される二つの保持体２２，２２の爪片２２ａ、又は二つの保持体２２，２３の爪片２２ａ，２３ａにて保持することができるため、保持体２２，２３による光むらの影響を抑制でき、導光板４２の光特性が低下するのを防ぐことができ、また、一つの保持体２２が、隣合う二つの導光板４２，４２を保持するため、導光板４２に対する保持体２２の個数を低減できる。
【００７５】
並置される導光板４２の長手方向一端側が雄螺子２５にて固定され、他端側が位置決め凸部２４，２４にて長手方向への相対移動を可能に保持されているため、熱により導光板４２が長手方向へ伸び縮みすることがあっても導光板４２の一端側の入光側面４２ａと発光ダイオード４４との間の離隔寸法を保つことができ、また、導光板４２の熱による伸び縮みを位置決め凸部２４にて吸収することができ、導光板４２が反るのを防ぐことができる。また、導光板４２の他端側の入光側面と発光ダイオード４４との間の離隔寸法は、導光板４２の熱による伸び縮み量に対応して予め設定することができ、該離隔寸法を均等化できる。
【００７６】
実施の形態２
図１２Ａ乃至図１２Ｃは第１の保持体２２部分の他の構成を示す拡大縦断側面図である。図１２Ａは厚板部材４３ａと一体に成形される第１の保持体２２を、厚板部材４３ａから前方へ突出する筒形凸部２２ｂとし、該筒形凸部２２ｂの先端部を変形させることにより、上下に隣合う導光板４２の長手方向中央部における長辺側の側面部を保持する構成としたものである。
【００７７】
図１２Ｂは第１の保持体２２が雄螺子２２ｃであり、厚板部材４３ａに開設された嵌入孔４３ｇに雄螺子２２ｃを捩込むことにより、上下に隣合う導光板４２の長手方向中央部における長辺側の側面部を保持する構成としたものである。
【００７８】
図１２Ｃは第１の保持体２２が鍔付ピン２２ｄであり、厚板部材４３ａに開設された嵌入孔４３ｇに鍔付ピン２２ｄを嵌入することにより、上下に隣合う導光板４２の長手方向中央部における長辺側の側面部を保持する構成としたものである。
その他の構成及び作用は実施の形態１と同様であるため、同様の部品については同じ符号を付し、その詳細な説明及び作用効果の説明を省略する。
【００７９】
実施の形態３
図１３は導光板４２部分の他の構成を示す正面図である。この実施の形態は第２の保持体２３をなくし、第１の保持体２２を上下に離隔して配し、上下に隣合う導光板４２の長手方向中央部を第１の保持体２２の爪片２２ａにて保持する構成としたものである。
その他の構成及び作用は実施の形態１と同様であるため、同様の部品については同じ符号を付し、その詳細な説明及び作用効果の説明を省略する。
【００８０】
実施の形態４
図１４は導光板４２部分の他の構成を示す正面図である。この実施の形態は第１の保持体２２をなくし、第２の保持体２３を、横方向へ離隔した二つの位置に導光板４２の並置間隔に対応して上下に離隔配置したものである。横方向へ離隔する二つの保持体２３，２３の一方は爪片２３ａが上向となり、他方は爪片２３ａが下向きになっており、上下方向に対して交差する位置の二つの第２の保持体２３，２３にて導光板４２の長手方向中央部を保持してある。
その他の構成及び作用は実施の形態１と同様であるため、同様の部品については同じ符号を付し、その詳細な説明及び作用効果の説明を省略する。
【００８１】
実施の形態５
図１５は導光板４２部分の他の構成を示す正面図である。この実施の形態は位置決め凸部２４を、第１及び第２の保持体２２，２３と同様の構成としたものである。上下方向中央側の位置決め凸部２４は、厚板部材４３ａの前面から前方へ突出する基片の先側から上下両側へ突出する爪片を有する略Ｔ字形をなし、導光板４２の並置間隔と等しい間隔で配され、爪片が導光板４２の長辺側の側面部に係合するように構成されている。上下方向端側の位置決め凸部２４は、厚板部材４３ａの前面から前方へ突出する基片の先側から上下一側へ突出する爪片を有する略Ｊ字形をなし、上下方向中央側の位置決め凸部２４の上側及び下側に導光板４２の並置間隔と等しい間隔で配され、爪片が導光板４２の長辺側の側面部に係合するように構成されている。
その他の構成及び作用は実施の形態１と同様であるため、同様の部品については同じ符号を付し、その詳細な説明及び作用効果の説明を省略する。
【００８２】
実施の形態６
図１６は導光板４２部分の他の構成を示す正面図、図１７は導光板４２部分の他の構成を示す縦断平面図である。この実施の形態は二つの位置決め凸部２４に代えて、導光板４２の長手方向他端部に、厚さ方向へ貫通し、導光板４２の長手方向に長い長孔２７を設け、長手方向への相対移動を可能に長孔２７に嵌入される凸部２８を光反射板４３に設けたものである。
【００８３】
凸部２８は長孔２７の幅寸法より若干小径であり、導光板４２の上下位置を決めており、熱による導光板４２の長手方向への伸縮を長孔２７にて吸収するようになしてある。
その他の構成及び作用は実施の形態１と同様であるため、同様の部品については同じ符号を付し、その詳細な説明及び作用効果の説明を省略する。
【００８４】
実施の形態７
図１８は導光板装置の他の構成を示す縦断側面図、図１９は導光板装置の要部の構成を示す拡大断面図、図２０は中間板の構成を示す斜視図、図２１は中間板の構成を示す正面図、図２２は中間板の構成を示す側面図である。この実施の形態は光反射板４３の厚板部材４３ａに代えて、短冊形をなし、保持体２２，２３が一体成形されている合成樹脂製の複数の中間板４８を備え、該中間板４８を、長手方向が導光板４２の並置方向となるように板部４１ａに取付け、中間板４８と導光板４２との間に、薄板部材４３ｂからなる光反射板４９を介在したものである。
【００８５】
板部４１ａの各中間板４８と対向する箇所には、中間板４８の長手方向（導光板４２の並置方向）に離隔して複数の第１孔４１ｇが貫設されており、第１孔４１ｇの縁部から第１孔４１ｇに被さるように中間板４８側へ突出する第１凸片４１ｈと、中間板の摺動を規制するための止孔４１ｉとが設けられており、また、板部４１ａの中央側には、後方へ突出する複数の台座部４１ｊが成形され、該台座部４１ｊに開設されている孔に雄螺子が螺入されることにより、回路基板２０が取付けられるようになしてある。
【００８６】
第１孔４１ｇは略四角形をなし、一辺側の縁から他辺側の縁に向けて第１凸片４１ｈが延出されている。
【００８７】
第１凸片４１ｈは、第１孔４１ｇの縁から中間板４８側へ変位する基部及４１ｋび該基部４１ｋの先から板部４１ａの前面と平行的に延出された板状の先部４１ｍを有し、該先部４１ｍにおける厚さ方向の前面が、中間板４８の導光板４２側の一面４８ａにほぼ沿う位置となるように配してある。換言すると、第１凸片４１ｈの先部４１ｍと中間板４８の導光板側の一面４８ａとの間の段差が僅少となるように第１凸片４１ｈが形成されている。
【００８８】
中間板４８は、長手方向中央部に第１の保持体２２が突設され、長手方向両端部に第２の保持体２３，２３が突設されており、また、止孔４１ｉに嵌入係止される凸状の止部４８ｇが長手方向一端側に設けられている。第１の保持体２２における爪部２２ａ，２２ａは、導光板４２の長手方向へ離隔している。
【００８９】
中間板４８の長手方向中央部で、第１の保持体２２と長手方向へ若干離隔した位置、及び中間板４８の長手方向両端部で、第２の保持体と長手方向へ若干離隔した位置には、第１凸片４１ｈが挿入される第２孔４８ｂが貫設されている。中間板４８における各第２孔４８ｂの縁部から第２孔４８ｂに被さるように板部４１ａの後方へ突出し、第１凸片４１ｈと中間板４８の厚さ方向に対接する第２凸片４８ｃが設けられている。
【００９０】
第２孔４８ｂは略四角形をなし、一辺側の縁から他辺側の縁に向けて第２凸片４８ｃが延出されている。
【００９１】
第２凸片４８ｃは、第２孔４８ｂの縁から板部４１ａ側へ変位する基部４８ｄ及び該基部４８ｄの先から中間板４８の板部４１ａ側の他面４８ｆと平行的に延出された板状の先部４８ｅを有し、該先部４８ｅにおける厚さ方向の後面が、板部４１ａの後面にほぼ沿う位置となるように配してある。換言すると、第２凸片４８ｃの先部４８ｅと板部４１ａの後面との間の段差が僅少となるように第２凸片４８ｃが形成されている。
【００９２】
光反射板４９は高反射性を有し、板部４１ａに対応する面積を有する１枚の薄肉合成樹脂シートからなり、各中間板４８に突設された保持体２２，２３に対応する挿通孔４９ａが開設されている。
【００９３】
以上のように構成された導光板装置は、支持体４１における板部４１ａの前面で、導光板４２の長手方向へ離隔した複数の位置に、導光板４２の並置方向へ長くなるように複数の中間板４８が載置され、各中間板４８の第２凸片４８ｃが板部４１ａの第１孔４１ｇに挿入されるとともに、第１凸片４１ｈが第２孔４８ｂに挿入され、この状態で中間板４８が板部４１ａに沿って摺動されることにより、第２凸片４８ｃの先部４８ｅが第１凸片４１ｈの先部４１ｍ後面に対接して摺動が阻止され、中間板４８が板部４１ａに取付けられる。次いで、光反射板４９が各中間板４８に載置されることにより、第１及び第２の保持体２２，２３が光反射板４９の挿通孔４９ａから抜出し、この状態で複数の導光板４２が光反射板４９に載置される。この際、導光板４２の長手方向へ離隔した複数の位置に、導光板４２の並置方向へ長くなるように複数の中間板４８が配されているため、各導光板４２の長手方向へ離隔した複数箇所の係止凹所４２ｃが保持体２２，２３の爪片２２ａ，２３ａにて保持される。
【００９４】
この実施の形態にあっては、短冊形をなす中間板４８が保持体２２，２３を有し、中間板４８を支持体４１の板部４１ａに取付けるための第１凸片４１ｈ及び第２凸片４８ｃのうち、第１凸片４１ｈは、板状の先部４１ｍが、中間板４８の導光板４２側の一面４８ａにほぼ沿う位置となるように配してあるため、導光板４２から出光された光の反射性を高めるための１枚の光反射板４９が各中間板４８に載置されたとき、光反射板４９の厚さ方向への撓みをなくすることができ、光反射方向が乱れるのを防ぐことができ、導光板４２の光特性を高めことができる。
【００９５】
第１凸片４１ｈ及び第２凸片４８ｃのうち、第２凸片４８ｃは、板状の先部４１ｍにおける厚さ方向の後面が、板部４１ａの後面にほぼ沿う位置となるように配してあるため、板部４１ａの後面及び第２凸片４８ｃの第１凸片４１ｈと反対側の面間の段差を僅少にすることができ、中間板４８が支持体４１の板部４１ａに取付けられることによる厚さの増加をなくすることができ、全体の薄型化を図ることができる。
【００９６】
このように中間板４８が支持体４１に取付けられる箇所の厚さの増加をなくすることができるため、中間板４８が支持体４１に取付けられる箇所と対向する箇所に、支持体４１の台座部４１ｊに取付けられる回路基板２０における変圧器、電解コンデンサ及びコイル等の高圧側（商用電源電圧側又は一次側ともいう）の電子部品を配することにより、安全規格ＩＥＣ６００６５（国際電気標準会議の安全規格）の強化絶縁距離を確保した状態で前記電子部品を板部４１ａに近寄せることができ、ひいては導光板４２の出光面４２ｂから回路基板２０の後面までの厚さを短縮することができ、全体の薄型化を図ることができる。
その他の構成及び作用は実施の形態１と同様であるため、同様の部品については同じ符号を付し、その詳細な説明及び作用効果の説明を省略する。
【００９７】
尚、以上説明した実施の形態１乃至７は、一部の構成を相互に組み合わせる構成としてもよく、各実施の形態の構成に制限されない。
【００９８】
また、以上説明した実施の形態では、表示パネル１の後側に配される光源部４が、導光板４２及び該導光板４２のエッジ側に配される光源としての発光ダイオード４４（発光素子）を有する構成としたが、その他、光源は冷陰極管等のランプであってもよい。
【００９９】
また、以上説明した実施の形態では、導光板４２の長手方向両端側に発光ダイオード４４を配する構成としたが、その他、導光板４２の長手方向一端側に発光ダイオード４４が配される構成であってもよい。
【０１００】
また、以上説明した実施の形態では、導光板４２と支持体４１との間に光反射板４３を備え、該光反射板４３に保持体２２，２３及び位置決め凸部２４が設けられている構成としたが、その他、光反射板４３をなくし、支持体４１に保持体２２，２３及び位置決め凸部２４を設ける構成としてもよい。この場合、保持体２２，２３は金属板製の支持体４１に対して着脱可能とするが、その他、合成樹脂製の支持体に対しては保持体を支持体と一体に設けてもよい。また、光反射板４３を有する構成においても、保持体２２，２３は着脱可能としてもよい。
また、光反射板４３をなくした場合、導光板４２の他面又は支持体４１の板部４１ａが光反射層を有する構成とする。
【０１０１】
また、以上説明した実施の形態では、光反射板４３が厚板部材４３ａ及び薄板部材４３ｂを有する構成としたが、その他、いずれか一方だけを有する構成としてもよい。
【０１０２】
また、以上説明した実施の形態では、導光板４２の長手方向一端部を雄螺子２５にて固定したが、その他、貫通孔に嵌入される鍔付きピンにて固定する構成としてもよいし、また、導光板４２の短辺に沿う方向に長い杆状部材にて各導光板４２を押付けて固定する構成としてもよく、固定手段は特に制限されない。
【符号の説明】
【０１０３】
１    表示パネル（表示部）
１ａ  表示面
４    光源部（光源装置）
４１  支持体
４１ｅ  係止孔
４１ｇ  第１孔
４１ｈ  第１凸片
４９  光反射板
４２  導光板
４２ｃ  係合凹所
４３  光反射板
４３ｄ  係止爪
４４  発光ダイオード（光源）
４８  中間板
４８ｂ  第２孔
４８ｃ  第２凸片
２２，２３  保持体
２２ａ，２３ａ  爪片
２４  位置決め凸部（位置決め部，凸部）
２７  長孔（位置決め部）
２８  凸部（位置決め部）
【図１】
2011198746.tif 000003
【図２】
2011198746.tif 000004
【図３】
2011198746.tif 000005
【図４】
2011198746.tif 000006
【図５】
2011198746.tif 000007
【図６】
2011198746.tif 000008
【図７】
2011198746.tif 000009
【図８】
2011198746.tif 000010
【図９】
2011198746.tif 000011
【図１０】
2011198746.tif 000012
【図１１】
2011198746.tif 000013
【図１２Ａ】
2011198746.tif 000014
【図１２Ｂ】
2011198746.tif 000015
【図１２Ｃ】
2011198746.tif 000016
【図１３】
2011198746.tif 000017
【図１４】
2011198746.tif 000018
【図１５】
2011198746.tif 000019
【図１６】
2011198746.tif 000020
【図１７】
2011198746.tif 000021
【図１８】
2011198746.tif 000022
【図１９】
2011198746.tif 000023
【図２０】
2011198746.tif 000024
【図２１】
2011198746.tif 000025
【図２２】
2011198746.tif 000026